【手続補正書】
【提出日】平成29年12月13日(2017.12.13)
【手続補正１】
【補正対象書類名】特許請求の範囲
【補正対象項目名】全文
【補正方法】変更
【補正の内容】
【特許請求の範囲】
【請求項１】
周方向に分割された複数の分割コアを整合させて、軸心に沿って導電体が挿通される挿通孔を備えた筒状の磁性体コアを形成するための固定構造であって、
可撓性を有した帯状に形成され前記各分割コアの外周面において周方向に沿って巻き付けられて前記各分割コアを結束する結束部材を備え、
かつ前記結束部材は、前記各分割コアを結束したときに余長部が生じるように形成される一方、前記磁性体コアは、固定部材あるいは前記固定部材に固定可能な介在物のいずれかに設けられた係止受け部に対して前記余長部が係止されることを特徴とする磁性体コアの固定構造。
【請求項２】
前記余長部は前記介在物に設けられた前記係止受け部に係止されるとともに、前記介在物は前記固定部材である前記導電体に固定されることを特徴とする請求項１記載の磁性体コアの固定構造。
【請求項３】
前記余長部は、前記固定部材である車両のボディ側に設けられた前記係止受け部に係止されることを特徴とする請求項１に記載の磁性体コアの固定構造。
【請求項４】
前記余長部は、前記介在物に設けられた前記係止受け部に係止されるとともに、前記介在物は前記固定部材である、前記導電体の近傍に配策されたワイヤハーネスに固定されることを特徴とする請求項１に記載の磁性体コアの固定構造。
【請求項５】
前記余長部は、前記介在物に設けられた前記係止受け部に係止されるとともに、端部は前記介在物を貫通して前記ボディ側に設けられた係止受け部に向けて導出されることを特徴とする請求項３に記載の磁性体コアの固定構造。
【請求項６】
前記介在物は前記係止受け部を有し前記磁性体コアの略全体を露出させるコア取り付け部と、前記コア取り付け部の両端部から前記導電体の延び方向に沿って延出されて前記導電体に固定される導電体固定部とを備えていることを特徴とする請求項２に記載の磁性体コアの固定構造。
【請求項７】
前記介在物は前記係止受け部を有し前記磁性体コアの略全体を露出させるコア取り付け部と、前記コア取り付け部の両端部から前記ワイヤハーネスの延び方向に沿って延出されて前記ワイヤハーネスに固定されるハーネス固定部とを備えていることを特徴とする請求項４に記載の磁性体コアの固定構造。
【請求項８】
前記介在物は前記係止受け部を有し前記磁性体コアの外周形状に略適合しつつ略半周分を収容し残りの略半周分を露出させるケース状に形成され、かつ軸方向両端には前記磁性体コアの軸方向両端面と対向して前記磁性体コアの軸方向に関する位置決めを行う一対の押さえ壁が形成されたコア収容部と、前記コア収容部の両端部から前記導電体の軸方向に沿って延出されて前記導電体に固定される導電体固定部とを備えていることを特徴とする請求項２に記載の磁性体コアの固定構造。
【請求項９】
前記介在物は前記係止受け部を有し前記磁性体コアの外周形状に略適合しつつ略半周分を収容し残りの略半周分を露出させるケース状に形成され、かつ軸方向両端には前記磁性体コアの軸方向両端面と対向して前記磁性体コアの軸方向に関する位置決めを行う一対の押さえ壁が形成されたコア収容部と、前記コア収容部の両端部から前記ワイヤハーネスの軸方向に沿って延出されて前記ワイヤハーネスに固定されるハーネス固定部とを備えていることを特徴とする請求項４に記載の磁性体コアの固定構造。
【請求項１０】
前記介在物は前記係止受け部を有し前記磁性体コアの外周形状に略適合しつつ略半周分を収容し残りの略半周分を露出させるケース状に形成され、かつ軸方向両端には前記磁性体コアの軸方向両端面と対向して前記磁性体コアの軸方向に関する位置決めを行う一対の押さえ壁が形成されたコア収容部を備え、また前記余長部を前記ボディ側に設けられた前記係止受け部に向けて導出させるための導出孔が備えられていることを特徴とする請求項５に記載の磁性体コアの固定構造。
【請求項１１】
前記介在物は、前記係止受け部を有し、前記磁性体コアの外周形状に略適合し径方向に分割された開閉可能な一対の半割体によって前記磁性体コア全体を隠蔽状態で収容するケース状に形成され、かつ前記半割体に形成されて前記磁性体コアの軸方向両端面と対向して前記磁性体コアの軸方向に関する位置決めを行う一対の押さえ壁を有するコア収容部と、前記コア収容部の両端部から前記導電体の軸方向に沿って延出されて前記導電体に固定される導電体固定部とを備えていることを特徴とする請求項２に記載の磁性体コアの固定構造。
【請求項１２】
前記介在物は前記係止受け部を有し、前記磁性体コアの外周形状に略適合し径方向に分割された開閉可能な一対の半割体によって前記磁性体コア全体を隠蔽状態で収容するケース状に形成され、かつ前記半割体に形成されて前記磁性体コアの軸方向両端面と対向して前記磁性体コアの軸方向に関する位置決めを行う一対の押さえ壁を有するコア収容部と、前記コア収容部の両端部から前記ワイヤハーネスの軸方向に沿って延出されて前記ワイヤハーネスに固定されるハーネス固定部とを備えていることを特徴とする請求項４に記載の磁性体コアの固定構造。
【請求項１３】
前記介在物は前記係止受け部を有し、前記磁性体コアの外周形状に略適合し径方向に分割された開閉可能な一対の半割体によって前記磁性体コア全体を隠蔽状態で収容するケース状に形成され、かつ前記半割体に形成されて前記磁性体コアの軸方向両端面と対向して前記磁性体コアの軸方向に関する位置決めを行う一対の押さえ壁を有するコア収容部を備え、また前記余長部を前記ボディ側に設けられた前記係止受け部に向けて導出させるための導出孔が備えられていることを特徴とする請求項５に記載の磁性体コアの固定構造。
【請求項１４】
前記磁性体コアの外周面には、前記結束部材を磁性体コアの軸方向に関する位置決めを行うための位置決め部が形成されていることを特徴とする請求項１ないし請求項１３のいずれかに記載の磁性体コアの固定構造。
【請求項１５】
前記結束部材が、前記磁性体コアよりも熱伝導率の高い材料からなり、前記介在物が放熱部材に接続されるか、前記余長部は伝熱部材を介して前記放熱部材に接続されることを特徴とする請求項１ないし請求項１４のいずれか１項記載の磁性体コアの固定構造。
【手続補正２】
【補正対象書類名】明細書
【補正対象項目名】００１４
【補正方法】変更
【補正の内容】
【００１４】
（３）請求項１に記載のものにおいて、前記余長部は、前記介在物に設けられた前記係止受け部に係止されるとともに、前記介在物は前記固定部材である、前記導電体の近傍に配索されたワイヤハーネスに固定される構成としてもよい。
このような構成によれば、介在物が導電体の近傍に配策されたワイヤハーネスに固定されるため、つまり導電体とワイヤハーネスとが磁性体コア及び介在物を介して保持し合う関係になるため、ワイヤハーネス及び導電体の配索経路の安定化にも寄与する。
【手続補正３】
【補正対象書類名】明細書
【補正対象項目名】００１９
【補正方法】変更
【補正の内容】
【００１９】
（８）請求項４に記載のものにおいて、前記介在物は前記係止受け部を有し前記磁性体コアの外周形状に略適合しつつ略半周分を収容し残りの略半周分を露出させるケース状に形成され、かつ軸方向両端には前記磁性体コアの軸方向両端面と対向して前記磁性体コアの軸方向に関する位置決めを行う一対の押さえ壁が形成されたコア収容部と、前記コア収容部の両端部から前記ワイヤハーネスの軸方向に沿って延出されて前記ワイヤハーネスに固定されるハーネス固定部とを備えた構成としてもよい。
このような構成によれば、（６）（７）の作用効果を発揮することができる。
【手続補正４】
【補正対象書類名】明細書
【補正対象項目名】００２０
【補正方法】変更
【補正の内容】
【００２０】
（９）請求項５に記載のものにおいて、前記介在物は前記係止受け部を有し前記磁性体コアの外周形状に略適合しつつ略半周分を収容し残りの略半周分を露出させるケース状に形成され、かつ軸方向両端には前記磁性体コアの軸方向両端面と対向して前記磁性体コアの軸方向に関する位置決めを行う一対の押さえ壁が形成されたコア収容部を備え、また前記余長部を前記ボディ側に設けられた前記係止受け部に向けて導出させるための導出孔が備えられている構成としてもよい。
このような構成によれば、（４）（７）の作用効果を発揮することができる。
【手続補正５】
【補正対象書類名】明細書
【補正対象項目名】００２１
【補正方法】変更
【補正の内容】
【００２１】
（１０）請求項２に記載のものにおいて、前記介在物は、前記係止受け部を有し、前記磁性体コアの外周形状に略適合し径方向に分割された開閉可能な一対の半割体によって前記磁性体コア全体を隠蔽状態で収容するケース状に形成され、かつ前記半割体に形成されて前記磁性体コアの軸方向両端面と対向して前記磁性体コアの軸方向に関する位置決めを行う一対の押さえ壁を有するコア収容部と、前記コア収容部の両端部から前記導電体の軸方向に沿って延出されて前記導電体に固定される導電体固定部とを備えた構成としてもよい。
このような構成であれば、介在物が磁性体コアの全体を隠蔽した状態で収容するため、磁性体コアが異物と干渉して、割れ・欠けといった事態から保護することができる。
【手続補正６】
【補正対象書類名】明細書
【補正対象項目名】００２２
【補正方法】変更
【補正の内容】
【００２２】
（１１）請求項４に記載のものにおいて、前記介在物は前記係止受け部を有し、前記磁性体コアの外周形状に略適合し径方向に分割された開閉可能な一対の半割体によって前記磁性体コア全体を隠蔽状態で収容するケース状に形成され、かつ前記半割体に形成されて前記磁性体コアの軸方向両端面と対向して前記磁性体コアの軸方向に関する位置決めを行う一対の押さえ壁を有するコア収容部と、前記コア収容部の両端部から前記ワイヤハーネスの軸方向に沿って延出されて前記ワイヤハーネスに固定されるハーネス固定部とを備えた構成としてもよい。
このような構成によれば、（６）（１０）の作用効果を発揮することができる。
【手続補正７】
【補正対象書類名】明細書
【補正対象項目名】００２３
【補正方法】変更
【補正の内容】
【００２３】
（１２）請求項５に記載のものにおいて、前記介在物は前記係止受け部を有し、前記磁性体コアの外周形状に略適合し径方向に分割された開閉可能な一対の半割体によって前記磁性体コア全体を隠蔽状態で収容するケース状に形成され、かつ前記半割体に形成されて前記磁性体コアの軸方向両端面と対向して前記磁性体コアの軸方向に関する位置決めを行う一対の押さえ壁を有するコア収容部を備え、また前記余長部を前記ボディ側に設けられた前記係止受け部に向けて導出させるための導出孔が備えられる構成としてもよい。
このような構成によれば、（９）（１０）の作用効果を発揮することができる。
【手続補正８】
【補正対象書類名】明細書
【補正対象項目名】００６２
【補正方法】変更
【補正の内容】
【００６２】
＜実施例５＞
図８は本発明の実施例５を示している。本実施例のものは、実施例４のものにおける固定部材を電線３に並設されたワイヤハーネス２１に変更したものである。また、実施例２のホルダー２０を実施例４のホルダー４０に置換したものとも言い得る。したがって、本例のホルダー５０も上ホルダー５０Ａと下ホルダー５０Ｂとから開閉可能に構成されている。